(57)【要約】【課題】熱交換効率を向上できるとともに、安全性を向上させた温水暖房装置を提供すること。【解決手段】熱源機１にて加熱した湯を貯える貯湯タンク２と、暖房機能と有する暖房端末１０と、貯湯タンク２と暖房端末１０との間で温水を循環させる循環ポンプ８と、貯湯タンク２から暖房端末１０に循環ポンプ８により搬送される温水に、暖房端末１０にて放熱後の温水を混合させる混合装置７と、混合装置７の下流側に設けられ、貯湯タンク２と暖房端末１０との間で循環する温水の温度を検出する温度検出手段９と、制御装置１７と、を備え、制御装置１７は、温度検出手段９が所定温度以上を検出すると、循環ポンプ８の駆動を停止させることを特徴とする温水暖房装置で、熱交換効率を向上できるとともに、安全性を向上させた温水暖房装置を提供できる。【選択図】図１
2017032149.tif 000002
【特許請求の範囲】
【請求項１】
熱源機と、
前記熱源機にて加熱した湯を貯える貯湯タンクと、
暖房機能と有する暖房端末と、
前記貯湯タンクと前記暖房端末との間で温水を循環させる循環ポンプと、
前記貯湯タンクから前記暖房端末に前記循環ポンプにより搬送される温水に、前記暖房端末にて放熱後の温水を混合させる混合装置と、
前記混合装置の下流側に設けられ、前記貯湯タンクと前記暖房端末との間で循環する温水の温度を検出する温度検出手段と、
制御装置と、
を備え、
前記制御装置は、前記温度検出手段が所定温度以上を検出すると、前記循環ポンプの駆動を停止させることを特徴とする温水暖房装置。
【請求項２】
前記温度検出手段は、前記混合装置の下流側で、前記暖房端末よりも上流側に設けられていることを特徴とする請求項１に記載の温水暖房装置。
【請求項３】
前記制御装置は、前記循環ポンプの駆動停止後に、再度、前記循環ポンプを駆動させることを特徴とする請求項１または２に記載の温水暖房装置。
【請求項４】
表示手段を備え、前記制御装置は、前記循環ポンプの駆動を停止させた場合、その旨を前記表示手段に報知することを特徴とする請求項１〜３のいずれか１項に記載の温水暖房装置。
【発明の詳細な説明】
【技術分野】
【０００１】
本発明は、温水暖房装置に関するものである。
【背景技術】
【０００２】
従来、この種の温水暖房装置は、床暖房等の暖房端末に流れる温水に熱を供給する熱交換器を備えていて、前記熱交換器に供給される熱量を変更することで、前記暖房端末に搬送される温水の温度を調整する構成としている（例えば、特許文献１参照）。
【０００３】
図２は、特許文献１に記載された従来の温水暖房装置を示すものである。
【０００４】
図２に示すように、この温水暖房装置は、貯湯タンク１１０と、暖房回路１０９と、前記貯湯タンク１１０内の温水保有する熱量が前記暖房回路１０９に搬送される温水に供給される熱交換器１０８と、前記貯湯タンク１１０内の温水を前記熱交換器１０８に搬送する第２循環手段１０４（熱交循環ポンプ）と、前記熱交換器１０８にて加熱された温水を前記暖房回路１０９に搬送する第１循環手段１０１（暖房水循環ポンプ）と、前記熱交換器１０８にて加熱され、前記暖房回路１０９に搬送される温水の温度を検出する暖房温度検出部１０６と、前記貯湯タンク１１０内の温水を前記循環用温水の温度を検出する暖房温度検出部１０６とマイクロコンピュータ１０３とを備えている。
【０００５】
そして、前記マイクロコンピュータ１０３が、暖房温度検出部１０６の検出値に基づいて、第２循環手段１０４（熱交循環ポンプ）を間欠駆動することで、前記暖房回路１０９に搬送される温水の温度を調整している。
【先行技術文献】
【特許文献】
【０００６】
【特許文献１】特開２０１４−０７７５８９号公報
【発明の概要】
【発明が解決しようとする課題】
【０００７】
しかしながら、前記従来の構成では、貯湯タンク１１０内の温水が保有する熱量を、熱交換器１０８を介して床暖房等の暖房端末に流れる温水に供給する構成のため、床暖房等の暖房端末にて大暖房能力が必要な場合、熱交換効率の悪い温水暖房装置となってしまうという課題を有していた。
【０００８】
本発明は、前記従来の課題を解決するもので、熱交換効率を向上させた温水暖房装置を提供することを目的とする。
【課題を解決するための手段】
【０００９】
前記従来の課題を解決するために、本発明の温水暖房装置は、熱源機と、前記熱源機にて加熱した湯を貯える貯湯タンクと、暖房機能と有する暖房端末と、前記貯湯タンクと前記暖房端末との間で温水を循環させる循環ポンプと、前記貯湯タンクから前記暖房端末に前記循環ポンプにより搬送される温水に、前記暖房端末にて放熱後の温水を混合させる混合装置と、前記混合装置の下流側に設けられ、前記貯湯タンクと前記暖房端末との間で循環する温水の温度を検出する温度検出手段と、制御装置と、を備え、前記制御装置は、前記温度検出手段が所定温度以上を検出すると、前記循環ポンプの駆動を停止させることを特徴とするものである。
【００１０】
この構成により、前記貯湯タンク側から前記暖房端末側に温水を直接搬送させるため熱交換効率を向上できるとともに、前記混合装置が何らかの要因により動作不良を生じ、高温のお湯が前記暖房端末に供給されるような場合でも、前記温度検出手段は前記混合装置の下流側に設けられているため、その旨を確実に検出でき、前記循環ポンプの駆動を停止させることで、安全性を向上させた温水暖房装置を提供できる。
【発明の効果】
【００１１】
本発明によれば、熱交換効率を向上できるとともに、安全性を向上させた温水暖房装置を提供できる。
【図面の簡単な説明】
【００１２】
【図１】本発明の実施の形態１における温水暖房装置の構成図
【図２】従来の温水暖房装置の構成図
【発明を実施するための形態】
【００１３】
第１の発明は、熱源機と、前記熱源機にて加熱した湯を貯える貯湯タンクと、暖房機能と有する暖房端末と、前記貯湯タンクと前記暖房端末との間で温水を循環させる循環ポンプと、前記貯湯タンクから前記暖房端末に前記循環ポンプにより搬送される温水に、前記暖房端末にて放熱後の温水を混合させる混合装置と、前記混合装置の下流側に設けられ、前記貯湯タンクと前記暖房端末との間で循環する温水の温度を検出する温度検出手段と、制御装置と、を備え、前記制御装置は、前記温度検出手段が所定温度以上を検出すると、前記循環ポンプの駆動を停止させることを特徴とする温水暖房装置である。
【００１４】
この構成により、前記貯湯タンク側から前記暖房端末側に温水を直接搬送させるため熱交換効率を向上できるとともに、前記混合装置が何らかの要因により動作不良を生じ、高温のお湯が前記暖房端末に供給されるような場合でも、前記温度検出手段は前記混合装置の下流側に設けられているため、その旨を確実に検出でき、前記循環ポンプの駆動を停止させることで、安全性を向上させた温水暖房装置を提供できる。
【００１５】
第２の発明は、特に第１の発明において、前記温度検出手段は、前記混合装置の下流側で、前記暖房端末よりも上流側に設けられていることを特徴とする温水暖房装置で、前記混合装置が何らかの要因により動作不良を生じ、高温のお湯が前記暖房端末に供給されるような場合でも、前記温度検出手段は前記混合装置の下流側で、かつ、使用者が暖房機能として利用する暖房端末よりも上流側に設けられているため、より安全性を向上させた温水暖房装置を提供できる。
【００１６】
第３の発明は、特に第１または第２の発明において、前記制御装置は、前記循環ポンプの駆動停止後に、再度、前記循環ポンプを駆動させることを特徴とする温水暖房装置で、暖房運転を継続することができることで、使用性を向上させた温水暖房装置を提供できる。
【００１７】
第４の発明は、特に第１〜第３のうちいずれかの発明において、表示手段を備え、前記制御装置は、前記循環ポンプの駆動を停止させた場合、その旨を前記表示手段に報知することを特徴とする温水暖房装置で、前記混合装置が何らかの要因により動作不良を生じ、高温のお湯が前記暖房端末に供給されるような場合でも、使用者はその旨を認知しながら、かつ、暖房運転を継続することもできるので、使用性および安全性を向上させた温水暖房装置を提供できる。
【００１８】
以下、本発明の実施の形態について、図面を参照しながら説明する。なお、この実施の形態によって本発明が限定されるものではない。
（実施の形態１）
以下、本発明の実施の形態１について、図面を参照しながら説明する。まず、図１を用いて、本実施の形態１の温水暖房装置の構成を説明する。
【００１９】
熱源機１として、ヒートポンプ式の熱源機を用いており、冷媒にはＲ４１０Ａを用いているが、その他の冷媒も用いることができる。
【００２０】
熱源機１内には、ヒートポンプサイクルの高圧側の冷媒が保有する熱を、水に伝達する水−冷媒熱交換器（図示せず）が内設されている。
【００２１】
貯湯タンク２内の水は、熱源機１に内蔵してある循環ポンプ（図示せず）によって、熱源往き配管５を介して搬送され、前記水−冷媒熱交換器（図示せず）にて加熱された後、熱源戻り配管６を介して貯湯タンク２内に戻される。
【００２２】
貯湯タンク２内に貯められた温水は、循環ポンプ８にて、暖房往き配管１１を介してミキシングバルブである混合装置７に送られる。暖房端末１０にて放熱し温度が低下した低温水は、バイパス配管１３を介して混合装置７において、前記暖房往き配管１１を介して混合装置７に送られた高温水と所定の混合比にて混合されることによって、リモコン１８にて使用者が設定した温度の温水を、暖房端末１０に供給できる構成となっている。
【００２３】
すなわち、暖房端末１０にて放熱し温度が低下した低温水は、バイパス配管１３を介して混合装置７において、前記暖房往き配管１１を介して混合装置７に送られた高温水と所定の混合比にて混合され、暖房端末１０に供給される温水の温度調整に利用されるのである。
【００２４】
そして、混合装置７に送られ高温水との混合に使用されない低温水は、循環ポンプ８にて、暖房戻り配管１２を介して、貯湯タンク２の下部に戻る。
【００２５】
上記構成により、貯湯タンク２内の温水が保有する熱量は、暖房端末１０に利用され低減するので、タンク温度検出手段３の検出温度が所定値以下になった場合には、熱源機１に内蔵してある循環ポンプ（図示せず）によって、熱源往き配管５を介して搬送され、前記水−冷媒熱交換器（図示せず）にて加熱された後、熱源戻り配管６を介して貯湯タンク２内に戻され、高温水を貯湯することとなる。
【００２６】
暖房端末１０に供給する温水の温度は、リモコン１８で使用者が設定でき、主に３５℃〜５５℃の範囲で設定できる。
【００２７】
さらに、本実施の形態においては、貯湯タンク２に、補助熱源であるヒーター４が内設されている。ヒートポンプ式の熱源機の能力は、外気温度が低くなるほど低下するため、このヒーター４は、その補助用として用いている。このヒーター４で加熱したときの、貯湯タンク２内の温水の加熱設定温度は６５℃〜８５℃であり、高温水を蓄えることができる。
【００２８】
外気温度低下に対応する補助熱源としては、ヒーターの他に、石油式やガス式のボイラーを使用することもある。その場合には、内部熱交換器（図示せず）を貯湯タンク２に内蔵し、前記ボイラーで加熱した温水を、内部熱交換器（図示せず）内に流して、貯湯タンク２内の温水を加熱する方式となる。
【００２９】
さらに、本実施の形態においては、補助熱源である太陽熱パネル１４が接続されており、この太陽熱パネル１４を流れる温水の温度を検出する太陽熱パネル温度検出手段１５の
検出温度と、タンク温度検出手段３の検出温度とを比較し、太陽熱パネル温度検出手段１５の検出温度の方がタンク温度検出手段３の検出温度より高いとき、太陽熱ポンプ１６を駆動し、太陽熱パネル１４で加熱された高温水にて貯湯タンク２内の温水を加熱する。
【００３０】
太陽熱パネル１４によって、貯湯タンク２内の温水の温度は最大９０℃（７０℃〜９０℃まで選択可能）まで加熱できる構成となっている。
【００３１】
なお、以上のような構成のため、混合装置７が何らかの要因により動作不良を生じ、高温水と所定の混合比にて混合できなかった場合には、高温水が直接、暖房端末１０に供給されるため、暖房端末１０の温度が、使用者が設定した温度より上昇し、安全性や使用性が低下するという可能性がある。
【００３２】
そこで本実施の形態においては、暖房端末１０に供給される湯水の温度を検出する温度検出手段９を、混合装置７の下流側で、暖房端末１０よりも上流側に配設し、温度検出手段９の検出温度が、所定時間（例えば、５分に設定）、所定温度（例えば、７５℃に設定）以上継続すると、制御装置１７は、循環ポンプ８の駆動を一定期間（例えば、３０分に設定）停止させることで、暖房端末１０の温度上昇を抑えるようにしてある。
【００３３】
このような制御にすることにより、安全性を向上させた温水暖房装置を提供できる。
【００３４】
また、制御装置１７は、循環ポンプ８の駆動を一定期間停止後に、再度、循環ポンプ８を駆動させ、再び、所定温度以上を所定時間検出すると、再度、循環ポンプ８の駆動を一定期間停止することを繰り返す制御としてある。
【００３５】
このような制御にすることにより、循環ポンプ８の駆動を所定期間（例えば、３０分に設定）後に、再度、循環ポンプ８を駆動することで、暖房端末１０の温度が低下し過ぎることを防止でき、安全性および使用性を向上させた温水暖房装置を提供できる。
【００３６】
そして、リモコン１８に表示手段を設け、制御装置１７は、循環ポンプ８の駆動を停止させた場合、その旨をリモコン１８に設けた表示手段に報知する構成としてある。
【００３７】
このような構成にすることにより、使用者はその旨を認知しながら、かつ、暖房運転を継続することもできるので、使用性および安全性を向上させた温水暖房装置を提供できる。
【産業上の利用可能性】
【００３８】
以上のように、本発明にかかる温水暖房装置は、熱交換効率を向上できるとともに、安全性を向上させた温水暖房装置を提供できるので、熱源を、石油、ガス、ヒートポンプ等を用いた温水暖房装置に適用できる。
【符号の説明】
【００３９】
１  熱源機
２  貯湯タンク
３  タンク温度検出手段
４  ヒーター
５  熱源往き配管
６  熱源戻り配管
７  混合装置
８  循環ポンプ
９  温度検出手段
１０  暖房端末
１１  暖房往き配管
１２  暖房戻り配管
１３  バイパス配管
１４  太陽熱パネル
１５  太陽熱パネル温度検出手段
１６  太陽熱ポンプ
１７  制御装置（コントローラ）
１８  リモコン（表示手段）
【図１】
2017032149.tif 000003
【図２】
2017032149.tif 000004